【手続補正書】
【提出日】平成20年4月25日(2008.4.25)
【手続補正１】
【補正対象書類名】明細書
【補正対象項目名】特許請求の範囲
【補正方法】変更
【補正の内容】
【特許請求の範囲】
【請求項１】  空気を加熱または冷却する熱交換部、吸入口より機内に吸気し前記熱交換部を介して熱交換された空気を排出する送風機を備えた空気調和機において、
熱交換された空気を機外へ排出する空気経路の排出口付近（近傍）に細菌を除菌するイオンを発生させるイオン発生装置を備え、
前記空気調和機の加熱又は冷却のための運転時に、前記イオン発生手段で発生させたイオンを機外に排出すると共に、排出されたイオンを再度機内に吸気するようにしたことを特徴とする空気調和機。
【請求項２】  前記空気調和機の運転停止指示により、前記熱交換部を停止すると共に、前記送風機及びイオン発生装置を所定時間動作させる制御部を備えたことを特徴とする請求項１記載の空気調和機。
【請求項３】  前記排出口に位置付けられ、排出される空気の方向を変えるルーバを備え、
前記制御部は、運転停止指示により、前記イオン発生装置で発生し排出されたイオンの吸入サイクルを短縮できる方向に前記ルーバを制御することを特徴とする請求項２記載の空気調和機。
【請求項４】  空気調和機の吸入口と前記熱交換部との間に、フィルタを配置したことを特徴とする請求項１〜３の何れかに記載の空気調和機。
【請求項５】  前記空気経路は、熱交換された空気を排出口より排出すると経路と、前記イオン発生手段を通過する経路を含むことを特徴とする請求項１〜４の何れかに記載の空気調和機。
【請求項６】  運転の状態を表示する表示部と、
前記空気調和機が前記運転停止指示により運転を行う所定時間に関する情報を前記表示部へ出力する手段とを更に備えることを特徴とする請求項２〜５の何れかに記載の空気調和機。
【請求項７】  請求項２〜６の何れかに記載の空気調和機、及び該空気調和機に対し制御信号を出す操作器を備える空気調和システムであって、
前記操作器は、前記空気調和機の運転指示の状態を示す表示部と、前記空気調和機が前記運転停止指示による運転を行う所定時間に関する情報を前記表示部へ出力する手段とを備えることを特徴とする空気調和システム。
【手続補正２】
【補正対象書類名】明細書
【補正対象項目名】０００１
【補正方法】変更
【補正の内容】
【０００１】
【発明の属する技術分野】
本発明は、空気を加熱または冷却する熱交換部、該熱交換部により熱交換された空気を外部へ排出する送風機、及び該送風機を備える空気調和機及び該空気調和機を備える空気調和システムに関する。
【手続補正３】
【補正対象書類名】明細書
【補正対象項目名】００１４
【補正方法】変更
【補正の内容】
【００１４】
【課題を解決するための手段】
本発明に係る空気調和機は、空気を加熱または冷却する熱交換部、吸入口より機内に吸気し前記熱交換部を介して熱交換された空気を排出する送風機を備えた空気調和機において、
熱交換された空気を排出口より機外へ排出する空気経路の排出口付近（近傍）に細菌を除菌するイオンを発生させるイオン発生装置を備え、
前記空気調和機の加熱又は冷却のための運転時に、前記イオン発生手段で発生させたイオンを機外に排出すると共に、排出されたイオンを再度機内に吸気するようにしたことを特徴とする。
【手続補正４】
【補正対象書類名】明細書
【補正対象項目名】００１５
【補正方法】変更
【補正の内容】
【００１５】
本発明に係る空気調和機は、前記空気調和機の運転停止指示により、前記熱交換部を停止すると共に、前記送風機及びイオン発生装置を所定時間動作させる制御部を備えたことを特徴とする。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】変更
【補正の内容】
【００１７】
本発明に係る空気調和機は、前記排出口に位置付けられ、排出される空気の方向を変えるルーバを備え、
前記制御部は、運転停止指示により、前記イオン発生装置で発生し排出されたイオンの吸入サイクルを短縮できる方向に前記ルーバを制御すべく構成してあることを特徴とする。
【手続補正７】
【補正対象書類名】明細書
【補正対象項目名】００１８
【補正方法】変更
【補正の内容】
【００１８】
本発明に係る空気調和機は、空気調和機の吸入口と前記熱交換部との間に、フィルタを配置したことを特徴とする。本発明に係る空気調和機は、前記空気経路を、熱交換された空気を排出口より排出すると経路と、前記イオン発生手段を通過する経路を含む構成としたことを特徴とする。また、本発明に係る空気調和機は、前記イオン発生装置を、排出口付近に配置したことを特徴とする。
【手続補正８】
【補正対象書類名】明細書
【補正対象項目名】００１９
【補正方法】変更
【補正の内容】
【００１９】
本発明に係る空気調和機は、運転の状態を表示する表示部と、
前記空気調和機が前記運転停止指示により運転を行う所定時間に関する情報を前記表示部へ出力する手段とを更に備えることを特徴とする。
【手続補正９】
【補正対象書類名】明細書
【補正対象項目名】００２０
【補正方法】変更
【補正の内容】
【００２０】
本発明に係る空気調和システムは、本発明の空気調和機、及び該空気調和機に対し制御信号を出す操作器を備える空気調和システムであって、
前記操作器は、前記空気調和機の運転指示の状態を示す表示部と、前記空気調和機が前記運転停止指示による運転を行う所定時間に関する情報を前記表示部へ出力する手段とを備えることを特徴とする
【手続補正１０】
【補正対象書類名】明細書
【補正対象項目名】００２１
【補正方法】変更
【補正の内容】
【００２１】
本発明にあっては、イオン発生装置から発生したイオンが送風機により外部へ排出され、空気中に浮遊するカビや細菌を殺菌すると共に、その一方で外部に排出されたイオンは再度送風機により吸引されるので、各部品周辺のカビ、細菌を殺菌するので効果的にカビや細菌の発生を防ぐことができる。
【手続補正１１】
【補正対象書類名】明細書
【補正対象項目名】００２２
【補正方法】変更
【補正の内容】
【００２２】
また、本発明にあっては、運転停止指示により前記送風機及びイオン発生装置を所定時間所定時間（例えば停止後から３分間）、送風機及びイオン発生装置を動作させる。これにより、イオン発生装置から発生したイオンが送風機により外部へ排出され、再度送風機により吸引されるので、効果的に、空気調和機内部のカビ、細菌等を効果的に殺菌することが可能となる。
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】変更
【補正の内容】
【００２４】
また、本発明にあっては、ルーバを制御したので、イオンを含む空気の排出及び吸入サイクルが短縮でき、より短時間で空気調和機内のカビ、細菌を殺菌することが可能となる。
【手続補正１４】
【補正対象書類名】明細書
【補正対象項目名】００２５
【補正方法】削除
【補正の内容】
【手続補正１５】
【補正対象書類名】明細書
【補正対象項目名】００５９
【補正方法】変更
【補正の内容】
【００５９】
【発明の効果】
以上詳述した如く、本発明にあっては、イオン発生装置から発生したイオンが送風機により外部へ排出され、その一方で外部に排出されたイオンは再度送風機により吸引されるので、各部品周辺のカビ、細菌を殺菌するので効果的にカビや細菌の発生を防ぐことができる。
【手続補正１６】
【補正対象書類名】明細書
【補正対象項目名】００６０
【補正方法】変更
【補正の内容】
【００６０】
また、本発明にあっては、停止指示により所定時間、送風機及びイオン発生装置を動作させる。これにより、イオン発生装置から発生したイオンが送風機による外部へ排出され再度送風機により吸引されるので、効果的に、空気調和機内部のカビ、細菌等を効果的に殺菌することが可能となる。
【手続補正１７】
【補正対象書類名】明細書
【補正対象項目名】００６１
【補正方法】削除
【補正の内容】